(57)【要約】【課題】本発明は、目隠しシール、特に、葉書などの個人情報を記載した場合に、その情報を保護のために隠蔽するための目隠しシールの内容を検知し、処理するシステムに関する。【解決手段】目隠しシール２は、その表面を加熱すると、目隠しシール２は透明となるものを用いる。用紙フィーダ４は、用紙スタッカー３から送りだされてくる書面１を第１の搬送装置５に導き、同搬送装置５は、その書面１を後段に設けられている加熱ローラ７に送る。  加熱ローラ７で加熱され、それにより目隠しシール２が透明化した書面１は、第２の搬送装置８により搬送される。書面１の先端がこの搬送装置８の所定の位置にまで搬送されると、センサー９がその状態を検出し、書面１の目隠しシール２がカメラ６に対向する位置にまで搬送されてくるとシャッターが切れる。そのとき、カメラ６により、目隠しシール２で覆われている情報が撮像され、ＰＣ１０に送信される。【選択図】図１
2006212778.tif 000002
【特許請求の範囲】
【請求項１】
透明な基材と、該基材の片面に形成された情報隠蔽着色層とからなる目隠しシールが付された書面を受け入れ、この書面に記載された前記目隠しシールで隠蔽された情報を読み取る情報読取システムであって、該着色層は該目隠しシールに含まれる消色剤により消色し、該消色剤が温度上昇により消色作用を発揮するものであり、
該書面の表面を加熱する加熱装置と、
前記加熱装置へ前記書面を搬送する搬送装置と、
加熱装置により加熱をした後に前記シールに隠蔽された情報を撮像するカメラと、
前記カメラを駆動するカメラ駆動部と、
を備えることを特徴とする情報読取システム。
【請求項２】
該着色層は、消色剤により消色しうるロイコ染料を含む請求項１に記載の情報読取システム
【請求項３】
透明な基材と、該基材の片面に形成された情報隠蔽着色層とからなる目隠しシールが付された書面を受け入れ、この書面に記載された前記目隠しシールで隠蔽された情報を読み取る情報読取システムであって、該着色層は温度上昇により透明化するものであり、
該書面の表面を加熱する加熱装置と、
前記加熱装置へ前記書面を搬送する搬送装置と、
加熱装置により加熱をした後に前記シールに隠蔽された情報を撮像するカメラと、
前記カメラを駆動するカメラ駆動部と、
を備えることを特徴とする情報読取システム。
【請求項４】
前記書面は、前記搬送装置により所定の位置に搬送されたことを検出するセンサーをさらに備え、
前記カメラ駆動部は、前記センサーにより前記書面が所定の位置に搬送されたことを検知したときに、前記書面の目隠しシールに対して前記カメラが対向するタイミングで該カメラを駆動する請求項１〜３に記載の情報読取システム。
【請求項５】
前記カメラ駆動部により駆動されたカメラにより撮像した情報を収集する画像収集部を備えることを特徴とする請求項１〜４に記載の情報読取システム。
【発明の詳細な説明】
【技術分野】
【０００１】
本発明は、目隠しシールで覆われた書面の情報、例えば、目隠しシールで覆われた葉書の個人情報を、シールを剥がさなくても読み取ることを可能にする情報読取システムに関する。
【背景技術】
【０００２】
図１のように、葉書やその他の郵便物に個人情報（例えばクレジットカードの番号、議決権行使書、アンケート葉書）を記載する場合がある。そのような場合、一般的に「目隠しシール」などの名前で呼ばれる粘着剤層を有するシールをその個人情報部分に貼付するようにしている。目隠しシールについては、例えば、特許文献１に示されている。
【０００３】
このような目隠しシールには、一旦剥がせば、再度貼付できないような貼付剤層を設けているものがある。このような特徴の目隠しシールは、秘密性が高く、また、保護情報シールを剥がすだけで簡単に情報を視認することが出来るため、個人情報を記載した郵便物などに多数採用されている。
【特許文献１】特開２００１−５４９９２公報
【発明の開示】
【発明が解決しようとする課題】
【０００４】
しかし、例えば、多数の株主から郵送されてくる議決権行使書などを処理する証券代行処理機関等では、それぞれの議決権行使書に目隠しシールが貼付されていると、これらを人手で剥がす作業が必要となり、その作業に費やす時間、コストが極めて大きくなる。また、葉書によるアンケート収集を行う場合にも回収した葉書全部に対して目隠しシールを剥がす手作業が必要になり極めて煩雑となる。
【０００５】
本発明の目的は、目隠しシールを剥がさなくても、その保護されている情報を自動的に読み取ることが出来る情報読取システムを提供することにある。
【課題を解決するための手段】
【０００６】
本発明は、上述の課題を解決するために以下のように構成している。
【０００７】
（１）透明な基材と、該基材の片面に形成された情報隠蔽着色層とからなる目隠しシールが付された書面を受け入れ、この書面に記載された前記目隠しシールで隠蔽された情報を読み取る情報読取システムであって、該着色層は該目隠しシールに含まれる消色剤により消色し、該消色剤が温度上昇により消色作用を発揮するものであり、
該書面の表面を加熱する加熱装置と、
前記加熱装置へ前記書面を搬送する搬送装置と、
加熱装置により加熱をした後に前記シールに隠蔽された情報を撮像するカメラと、
前記カメラを駆動するカメラ駆動部と、
を備えることを特徴とする。
【０００８】
このように構成すれば、目隠しシールで覆われている多数の書面を連続的に搬送しながら、各書面に貼付されている目隠しシールを剥がさなくても同シールで覆われている情報を連続的に且つ自動的にカメラで撮像していくことができる。
【０００９】
このため、多数の議決権行使書やアンケート葉書などを非常に効率的に短時間に処理することができる。
【００１０】
（２）該着色層が消色剤により消色しうるロイコ染料を含んでいる。
【００１１】
（３）透明な基材と、該基材の片面に形成された情報隠蔽着色層とからなる目隠しシールが付された書面を受け入れ、この書面に記載された前記目隠しシールで隠蔽された情報を読み取る情報読取システムであって、該着色層は温度上昇により透明化するものであり、
該書面の表面を加熱する加熱装置と、
前記加熱装置へ前記書面を搬送する搬送装置と、
加熱装置により加熱をした後に前記シールに隠蔽された情報を撮像するカメラと、
前記カメラを駆動するカメラ駆動部と、
を備えることを特徴とする。
【００１２】
このように構成すれば、熱を加えることにより透明化する目隠しシールを用いて、目隠しシールを剥がさなくても、その保護されている情報を自動的に読み取ることが出来る。
【００１３】
（４）前記書面が前記搬送装置により所定の位置に搬送されたことを検出するセンサーをさらに備え、
前記カメラ駆動部は、前記センサーにより前記書面が所定の位置に搬送されたことを検知したときに、前記書面の目隠しシールに対して前記カメラが対向するタイミングで該カメラを駆動する。
【００１４】
本発明では、目隠しシールとして、透明な基材と、該基材の片面に形成された情報隠蔽着色層とからなるシールを使用する。目隠しシールには、さらに消色剤が含まれている。この消色剤は、加熱されて温度上昇すると着色層において着色された部分に消色作用を発揮する。
【００１５】
着色層は消色剤により消色しうるロイコ染料を主材料として構成することが出来る。
【００１６】
本発明では、搬送されてきた書面の表面を加熱装置によって加熱すると、目隠しシールの着色層が消色し、目隠しシールが透明となって、その下に記載されている情報をカメラで撮像することができる。
【００１７】
また、センサーにより書面の搬送が所定位置まで搬送されてきたことを検出すると、カメラが目隠しシールに対向するタイミングで起動する。すなわち、シャッターが切られて、目隠しシールで覆われた部部の情報が撮像される。このため、書面が連続して送られてきても、各書面の搬送中の適切なタイミングでシャッターが間歇的に切れるため、多数の書面に対して、目隠しシールで覆われている情報を連続的に自動読み取りすることができる。
【００１８】
なお、目隠しシールは一旦透明化すると、温度が下がっても透明状態を維持するため、カメラで撮像した後にシールを剥がさなくても保護内容を簡単に視認できる。
【００１９】
（５）前記カメラ駆動部により駆動されたカメラにより撮像した情報を収集する画像収集部を備えることを特徴とする。
【００２０】
このように構成すれば、目隠しシールを剥がさなくても、その保護されている情報を画像情報として、自動的に情報収集可能である。また、これらを文字に変換すれば、自動的に文字情報を収集できる。
【発明の効果】
【００２１】
本発明では、目隠しシールで覆われている多数の書面を連続的に搬送しながら、各書面に貼付されている目隠しシールを剥がさなくても同シールで覆われている情報を連続的に且つ自動的にカメラで撮像していくことができる。
【００２２】
このため、多数の議決権行使書やアンケート葉書などを非常に効率的に短時間に処理することができる。
【発明を実施するための最良の形態】
【００２３】
図１は、本発明の第１の実施形態である情報読取システムの構成図である。
【００２４】
図１において、葉書等の書面１には、秘密とすべき保護情報が記載され、この情報が目隠しシール２で覆われている。書面１は、議決権行使書であれば、保護情報は、株数、氏名、印鑑などである。また、アンケート葉書であれば、生年月日、氏名、住所などである。さらに、書面１は紙に限らず、プラスチック製または、これに類するシートであってもよい。
【００２５】
目隠しシール２は、後述のように、ロイコ染料を主材料とする着色層と、その着色部分を加熱されることにより消色する消色剤とを含んでいる（消色剤の構成等の詳細は後述する。）。また、粘着層も形成され、同粘着層により書面１に貼付される。この粘着層は、周知のように、一度剥がされると再度貼付できない性質のものが使用される。用紙スタッカー３は、上記書面１を多数収納しており、１枚ずつ所定のタイミングで送り出す。
【００２６】
用紙スタッカー３から書面の搬送方向に向かって、順に、用紙フィーダ４、第１の搬送装置５、上下ローラで構成され内部に図示しないヒータを内蔵した加熱ローラ７、第２の搬送装置８が設けられ、第２の搬送装置８の上方には、第２の搬送装置８上を搬送されてくる書面１の先端が所定の位置に搬送されたことを検出する光学センサー９が設けられている。さらに、同センサー９の上方にはカメラ６が配置され、このカメラ６の出力はＰＣ１０に出力されるようになっている。前記「所定の位置」とは、任意の位置であって良く、書面１の先端がこの位置に到達したときを基準に、カメラ６が書面１上の目隠しシール２に対向するタイミングを求める。このタイミングになったときに、カメラ６のシャッターが切られて撮像される。
【００２７】
上記システムの動作を説明する。
【００２８】
用紙フィーダ４は、用紙スタッカー３から送り出されてくる書面１を第１の搬送装置５に導き、同搬送装置５は、その書面１を後段に設けられている加熱ローラ７に送る。
【００２９】
加熱ローラ７は、書面１の表面を一様に一定の温度にまで加熱する。この加熱により、書面１に貼付されている目隠しシール２は、消色して透明化し、そのシール下に記載されている情報が視認可能となる。
【００３０】
加熱ローラ７で加熱され、それにより目隠しシール２が透明化した書面１は、第２の搬送装置８により搬送される。書面１の先端がこの搬送装置８の所定の位置にまで搬送されると、センサー９がその状態を検出し、その信号はカメラ６に送られる。カメラ６は、その信号を受信後、書面１の目隠しシール２がカメラ６に対向する位置にまで搬送されてくるとシャッターが切れる。そのとき、カメラ６により、目隠しシール２で覆われている情報が撮像され、ＰＣ１０に送信される。
【００３１】
撮像後の書面１は、第２の搬送装置８でさらに後段に搬送されて、回収受け皿１１に回収される。
【００３２】
以下、同様に、用紙スタッカー３に収納されている多数の書面１に対する上述の処理が連続的に且つ自動的に行われる。
【００３３】
回収受け皿１１に回収された書面１はその後冷えていくが、目隠しシール２の透明状態は維持されたままである。
【００３４】
上記実施形態では、カメラ６により、目隠しシールで隠蔽された情報の静止画像を撮像しているが、動画を連続撮影して、ＰＣ１０において、画像処理することで、目隠しシールで、隠蔽された情報を抽出することができる。この場合は、多数の書面を連続して搬送することが可能である。
【００３５】
次に、目隠しシール２の構成について説明する。第１の形態の目隠しシールの構造例を図２〜図１０に示す。いずれも積層構造となっており、書面１からもっとも離れる層が層１である。カッコ内は層の作用、使用形態ないし、層の厚み（μｍ）を記載している。
【００３６】
図５〜図７は、これらの図に示すとおり、図２〜図４の層１の上に厚さ１０μｍ〜３０μｍのポリエステルフィルムを重ねたものである。なお、図２の層１と層２、図５の層２と層３、及び図１０の層２と層３は互いに逆層であってもよい。また、図７，図９、図１０の目隠しシール２の構成では、消色剤に適するマイクロカプセルを使用している。これを使用すれば多色感熱記録材料の消色効果及び発色機能の安定性をともに一段と向上させることができる。
【００３７】
以下、これらの層に用いるロイコ染料、消色剤、消色剤に適するマイクロカプセルの材料、又は製造方法を説明する。
【００３８】
本発明の第１の実施形態に用いるのに適するロイコ染料としては、トリアリールメタン、ジフェニルメタン、キサンテン、チアジン、及びスピロピラン系化合物をあげることができる。例えば、特公平６−４３１号公報、特開平２−９６８０号公報、特開平２−１３６２号公報、特公昭５１−３７５４２号公報等には、多数のロイコ染料が記載されている。
【００３９】
本発明の第１の実施形態で用いるのに適する消色剤として、不揮発性疎水性の有機溶媒に不溶もしくは難溶のグアニジン化合物を、前記不揮発性疎水性の有機溶媒に分散し、これに多価イソシアネート化合物溶液を添加し、撹拌混合することによって、得られるグアニジン化合物と多価イソシアネート化合物と反応生成物の固体状微粒子が挙げられる。なお、上記に記載のロイコ染料に限定するものではない。
【００４０】
前記グアニジン化合物は、下記一般式：
【００４１】
【化１】
2006212778.tif 000003
【００４２】
（式中、Ｒ１〜Ｒ５はそれぞれ独立して、水素、炭素数１〜７のアルキル基、炭素数が１０までの環状アルキル基、炭素数が１０までのアリール基、炭素数が１０までのアラルキル基、及び／またはフェニル基を表す。）で表される化合物のうち、不揮発性疎水性の有機溶媒に不溶もしくは難溶のグアニジン化合物から選ばれる。好ましい化合物としては、ジフェニルグアニジン、ジ−ｏ−トリルグアニジン等の該有機溶媒に難溶もしくは不溶のグアニジン化合物が挙げられる。多色発色性感熱紙に関する特公昭５１−２９２０２４号、特公昭５１−３７５４２号、特開昭５０−１４７７３６号公報に記載の各種グアニジン化合物において、上記の有機溶媒に不溶のグアニジン化合物も使用でき、これらの開示をここに参考として引用する。
【００４３】
本発明の第１の実施形態に用いられる多価イソシアネート化合物としては、例えば、ｍ−フェニレンジイソシアネート、ｐ−フェニレンジイソシアネート、２，６−トリレンジイソシアネート、２，４−トリレンジイソシアネート、ナフタレン−１，５−ジイシアネート、４，４−ジフェニルメタン−ジイソシアネート、３，３’−ジメチルジフェニルメタン−４，４’−ジイソシアネート、キシレリン−１，４−ジイソシアネート、４，４’−ジフェニルプロバンジイソシアネート、トリメチレンジイソシアネート、ヘキサメチレンジイソシアネート、プロピレン−１，２−ジイソシアネート、ブチレン−１，２−ジイソシアネート、シクロヘキシレン−１，２−ジイソシアネート、シクロヘキシレン−１，４−ジイソシアネート、４，４’，４’’−トリフェニルメタントリイソシアネート、トルエン−２，４，６−トリイソシアネート、４，４’−ジメチルジフェニルメタン−２,２’，５，５’−テトライソシアネート、ヘキサメチレンジイソシアネートとトリメチロールプロパンとの付加物、２−４−トリレンジイソシアネートとトリメチロールプロパンとの付加物、キシリレンジイソシアネートとトリメチロールプロパンとの付加物等が挙げられる。さらに、上記化合物の２種以上の混合物を用いることもでき、特に脂肪族イソシアネート化合物と芳香族イソシアネートとの混合物を用いることが望ましい。
【００４４】
次に、マイクロカプセルの製造方法を説明する。まず、前記の不揮発性疎水性の有機溶媒に、グアニジン化合物を添加して混合する。本発明の第１の実施形態で使用するグアニジン化合物は上記の有機溶媒には、不溶又は、難溶であるため、グアニジンの化合物を該溶媒中に十分に混合及び撹拌して、均一な分散液に転化する。次に、イソシアネート化合物を常温で添加し、１００〜１０００ｒｐｍの撹拌速度で３〜１０分間撹拌を続けると、グアニジン化合物とイソシアネート化合物が徐々に反応し、不揮発性疎水性の有機溶媒に徐々に溶解し始める。反応溶液が透明になったところで、いったん撹拌を止め、これをポリビニルアルコール等の保護コロイド含有水溶液に添加し、さらに、５０００〜１００００ｒｐｍの撹拌条件下で１０〜６０分間乳化分散する。乳化した後、その撹拌速度を３０００〜５０００ｒｐｍまで落とし、４０℃〜８０℃に昇温して６０〜１８０分間撹拌し続けると、不揮発性疎水性の有機溶媒中の残存多価イソシアネート化合物と水との界面重合反応によって、グアニジン化合物／イソシアネート化合物の乳化分散した反応生成物の周囲にマイクロカプセル被膜が形成される。これにより、不揮発性疎水性の有機溶媒を含んだ樹脂状物を内包した直径０.１〜１０μｍのμカプセルが得られる。なお、上記のごとく製造したマイクロカプセルは、熱を印加すると、マイクロカプセルが破壊することによりまたはマイクロカプセルは破壊せずにカプセル被覆を介して、内包されている消色剤を外部に放出する。
【００４５】
次に、情報隠蔽性着色層のインキの組成例を図１１に、消色層インキの組成例を図１２に、消色剤含有有色層インキの組成例を図１３に示す。
【００４６】
情報隠蔽性着色層のインキは図１１の成分を、サンドミルで平均粒子径が３μｍになるまで分散して、着色層インキを形成できる。
【００４７】
消色剤層インキの作製は、図１２の成分をサンドミルで３μｍになるまで微分散することにより、形成できる。
【００４８】
消色剤含有有色層インキは、図１３の成分を混合することにより、作製できる。
【００４９】
次に本発明の第２の実施形態に係る情報読取システムについて説明する。第２の実施形態では、使用するシールが異なること以外は、図１と同様のシステムで動作可能である。第２の実施形態においては、サーマル消色作用を有し、消色した後は、元の状態に戻ることができないという不可逆性を有する情報隠蔽シールを用いる。
【図面の簡単な説明】
【００５０】
【図１】第１の実施形態である情報読取システムの構成図である。
【図２】第１の実施形態である目隠しシールの構造図である。
【図３】第１の実施形態である目隠しシールの構造図である。
【図４】第１の実施形態である目隠しシールの構造図である。
【図５】第１の実施形態である目隠しシールの構造図である。
【図６】第１の実施形態である目隠しシールの構造図である。
【図７】第１の実施形態である目隠しシールの構造図である。
【図８】第１の実施形態である目隠しシールの構造図である。
【図９】第１の実施形態である目隠しシールの構造図である。
【図１０】第１の実施形態である目隠しシールの構造図である。
【図１１】第１の実施形態である有色層インキの組成例である。
【図１２】第１の実施形態である消色層インキの組成例である。
【図１３】第１の実施形態である消色剤含有有色層インキの組成例である。
【符号の説明】
【００５１】
１−書面
２−目隠しシール
３−用紙スタッカー
４−用紙フィーダ
５−第１の搬送装置
６−カメラ
７−加熱ローラ
８−第２の搬送装置
９−センサー
１０−ＰＣ
１１−回収受け皿
【図１】
2006212778.tif 000004
【図２】
2006212778.tif 000005
【図３】
2006212778.tif 000006
【図４】
2006212778.tif 000007
【図５】
2006212778.tif 000008
【図６】
2006212778.tif 000009
【図７】
2006212778.tif 000010
【図８】
2006212778.tif 000011
【図９】
2006212778.tif 000012
【図１０】
2006212778.tif 000013
【図１１】
2006212778.tif 000014
【図１２】
2006212778.tif 000015
【図１３】
2006212778.tif 000016